(57)【要約】【課題】パラメータ値の変更操作を容易とするマルチトラックレコーダを提供すること。【解決手段】操作パネル３００上に設けられた液晶ディスプレイ１５０の平面視下側に、各種のパラメータの値等を変更操作可能なつまみ２００を４行4列のマトリクス状に配置し、各つまみ２００の並びに対応するように液晶ディスプレイ１５０の表示エリアを１６分割した夫々の分割エリアにおいて、対応するつまみ２００でのパラメータ調整に関する情報を表示する。そして、一般にマルチトッラックレコーダの場合には、８、１２、１６等の４の倍数のトラック数のものが一般的であり、従来のように横一列に操作子を配置するのに比べて操作し易い操作子配列となっている。【選択図】  図２
2006276665.tif 000002
【特許請求の範囲】
【請求項１】
複数のトラックの夫々に音楽データを記録可能であると共に、複数のトラックの夫々に記憶されている音楽データを編集、再生可能に構成されたマルチトラックレコーダにおいて、
操作パネル上に設けられた所要な情報を表示する表示部の平面視下側に、各種のパラメータの値を変更操作可能な操作子を４行4列のマトリクス状に配置し、    
各操作子の並びに対応するように前記表示部の表示エリアを複数のエリアに分割した夫々の分割エリアにおいて、対応する操作子でのパラメータ調整に関する情報を表示する表示制御手段と、
各操作子の操作によって更新されるパラメータ値を内部パラメータ値として記憶する内部パラメータ値記憶手段と、を備えたことを特徴とするマルチトラックレコーダ。  
【請求項２】
請求項１に記載のマルチトラックレコーダにおいて、
前記操作子はこれを回転操作してパラメータ値を変更操作可能なつまみであり、専用ボタンの押下操作をしない場合には、つまみの回転操作によるつまみの基準位置からの回転角度に応じて変更されるパラメータ値が、内部パラメータ値記憶手段に記憶された対応する内部パラメータ値に一致するまでは内部パラメータ値を不変とし、一致後のつまみの回転操作により始めて内部パラメータ値の変更が行われる一方、
専用ボタンに対する押下操作に続けていずれかのつまみが操作されると、このつまみの回転操作に応答して即座に内部パラメータ値が変更可能に構成したことを特徴とするマルチトラックレコーダ。
【請求項３】
請求項２に記載のマルチトラックレコーダにおいて、
つまみの回転操作によって変更されたパラメータ値と、内部パラメータ値記憶手段に記憶されている対応する内部パラメータ値との差に応じて、点灯部を点灯制御する点灯部制御手段を更に備えたことを特徴とするマルチトラックレコーダ。
【発明の詳細な説明】
【技術分野】
【０００１】
本発明は、複数のトラックの夫々に音楽データを記録可能であると共に、複数のトラックの夫々に記憶されている音楽データを編集、再生可能に構成されたマルチトラックレコーダに係わり、より詳しくはその操作子の改良に関する。
【背景技術】
【０００２】
マルチトラックレコーダは、ＨＤ（ハードディスク）等の大容量記録媒体に楽音信号や音声信号等の音楽データを記憶しておくものでマルチトラックハードディスクレコーダ等とも称される。このマルチトラックレコーダにおいては、レコーダ自体に設けられた各種操作子の操作によって音楽データをファイルとして記憶管理しておき、管理されているファイルをいつでもアクセス可能としたものが従来から提案されていた。そして、このマルチトラックレコーダは、例えば８トラック、１６トラック等の多数のトラックを有するものが多く、多数のトラックに録音されている音楽データを編集する場合等には、１トラックでも設定パラメータ数が多いところ、複数のトラックに対するパラメータ設定操作は複雑である。ところで、電子楽器のパラメータ入力装置としては、表示器における複数に分割された分割エリアの内の所望の分割エリアにパラメータを割り付けることを、選択ボタンの操作で行い、このようなユーザが設定したユーザメイン画面において、パラメータを設定するものであった（例えば、特許文献１参照）。
【０００３】
【特許文献１】特開２００３−１５７０７５号公報（第２−５頁、第１図）
【発明の開示】
【発明が解決しようとする課題】
【０００４】
確かに、上述したパラメータ入力装置にあっては、使用頻度の高いパラメータを割り付けておき、適宜ユーザメイン画面を表示させてパラメータ値を変更する等の利便性が確保される。しかしながら、この従来の技術にあっては、変更対象となるパラメータの値を変更操作するためのボタン配置等は考慮されていなかった。そのため、マルチトラックレコーダ等の複数トラックの音楽データに対してのパラメータ値変更等のわずらわしさはこの従来技術では解決されていなかった。
【０００５】
本発明は、かかる従来の課題を解決するためになされたもので、パラメータ値の変更操作を容易とするマルチトラックレコーダを提供することを目的とする。
【課題を解決するための手段】
【０００６】
上記目的を達成するために、本発明は、複数のトラックの夫々に音楽データを記録可能であると共に、複数のトラックの夫々に記憶されている音楽データを編集、再生可能に構成されたマルチトラックレコーダにおいて、
操作パネル上に設けられた所要な情報を表示する表示部の平面視下側に、各種のパラメータの値を変更操作可能な操作子を４行4列のマトリクス状に配置し、    
各操作子の並びに対応するように前記表示部の表示エリアを複数のエリアに分割した夫々の分割エリアにおいて、対応する操作子でのパラメータ調整に関する情報を表示する表示制御手段と、
各操作子の操作によって更新されるパラメータ値を内部パラメータ値として記憶する内部パラメータ値記憶手段と、を備えたことを特徴とするマルチトラックレコーダを提供する。
【０００７】
操作パネル上に設けられた所要な情報を表示する表示部の平面視下側に、各種のパラメータの値を変更操作可能な操作子を４行4列のマトリクス状に配置する。そして、表示制御手段は、各操作子の並びに対応するように前記表示部の表示エリアを複数のエリアに分割した夫々の分割エリアにおいて、対応する操作子でのパラメータ調整に関する情報を表示し、内部パラメータ値記憶手段は、各操作子の操作によって更新されるパラメータ値を内部パラメータ値として記憶する。マルチトッラックレコーダのようなレコード機器の場合には、一般的に８、１２、１６等の４の倍数のトラック数のものが一般的であり、従来のように横一列に操作子を配置するのに比べて操作し易い操作子配列となっており、しかも、表示エリアと操作子による操作状態とを対応付けることによって一層、パラメータ値設定が容易となる。
【０００８】
また、このマルチトラックレコーダにおいて、操作子を、回転操作してパラメータ値を変更操作可能なつまみとし、専用ボタンの押下操作をしない場合には、つまみの回転操作によるつまみの基準位置からの回転角度に応じて変更されるパラメータ値が、内部パラメータ値記憶手段に記憶された対応する内部パラメータ値に一致するまでは内部パラメータ値を不変とし、一致後のつまみの回転操作により始めて内部パラメータ値の変更が行われる一方、専用ボタンに対する押下操作に続けていずれかのつまみが操作されると、このつまみの回転操作に応答して即座に内部パラメータ値が変更可能に構成したマルチトラックレコーダも提供可能である。
【０００９】
更に、このマルチトラックレコーダにおいて、つまみの回転操作によって変更されたパラメータ値と、内部パラメータ値記憶手段に記憶されている対応する内部パラメータ値との差に応じて、点灯部を点灯制御する点灯部制御手段を更に備えた構成とすることもできる。
【発明の効果】
【００１０】
本発明によれば、パラメータ値の変更操作を容易としたマルチトラックレコーダを提供することができるという効果が得られる。
【発明を実施するための最良の形態】
【００１１】
以下、本発明を実施するための最良の形態を図面を参照しつつ説明する。
【００１２】
（構成）
図１はマルチトラックレコーダ１００の構成図である。マルチトラックレコーダ１００は、ＣＰＵ１１０、ＲＯＭ１１１、ＲＡＭ１１２、ＨＤ（ハードディスク）１３０、後に説明する操作パネル上に配置された各種の操作子で成る操作部１４０、液晶ディスプレイ１５０、入力端子１６１に接続される楽音信号入力部１６０、出力端子１７１に接続される楽音信号出力部１７０とを有して構成される。ＣＰＵ１１０が、ＲＯＭ１１１に記録される制御用ソフトやＨＤ１２０に記録される制御プログラム等を実行することによって以下の動作が実現されるように構成されている。また、ＣＰＵ１１０は操作部１４０の不図示の操作子による操作指示を受け付けて所要の動作を行い、必要な情報を液晶ディスプレイ１５０に表示するように構成されている。
【００１３】
操作部１４０の操作子を用いた楽音信号記録指示操作に応答して、ＣＰＵ１１０は入力端子１６１を介して入力される楽音信号を楽音信号入力部１６０に入力させる。楽音信号入力部１６０は入力された楽音信号をアナログデジタル変換して、これをデジタル楽音データとしてＣＰＵ１１０に渡す。ＣＰＵ１１０はこれを一旦ＲＡＭ１１２に記憶させておき、次いでこれをファイルにしてＨＤ１３０内の複数のトラックのいずれかのトラックに編集、読み出し可能に格納する。かくして、複数のトラックの夫々に音楽データが記録可能になる。一方、操作部１４０を用いた楽音信号再生指示操作に応答して、ＣＰＵ１１０がＨＤ１３０に録音された複数のファイルの音楽データを楽音信号出力部１７０に渡すと、楽音信号出力部１７０は複数のトラックの楽音データを、例えば同時再生しながらデジタルアナログ変換し出力端子１７１に出力する。なお、各トラックにおいて所要の編集操作が可能に構成されている。
【００１４】
かくして、マルチトラックレコーダ１００は複数トラックの夫々に音楽データを記録可能であると共に、複数のトラックの夫々に記憶されている音楽データを編集、再生可能に構成されている。なお、図１はマルチトラックレコーダ１００の一構成例であり、例えば外部記憶装置を接続して管理するファイル数を大幅に増加させる構成にしたり、リズムデータからリズム音を出力するリズムオシレータを内蔵したりする構成としても良い。
【００１５】
図２はマルチトッラックレコーダを平面視した際の操作パネル３００の一部（本発明の特徴部）の説明図である。なお、図示はしないが全トラックの夫々に対して音量レベル調整するためのスライダースイッチ、表示される矢印ポインタを表示画面で移動可能にしたジョイスティック、音楽データの複数の入出力端子等が様々な機能を有する操作子やインターフェイス等が配置されている。図２を参照すると分かるように、液晶ディスプレイ１５０の図中下側即ち、操作者手前側（平面視下側）に４行４列のマトリクス状に、１６個のつまみ２００ａ〜２００ｐが配置されている。そして、必要時には液晶ディスプレイ１５０の表示エリアを１６分割した符号Ａで示す表示エリアから符号Ｐで示す分割表示エリアの夫々に、対応するつまみ２００ａ〜２００ｐにより設定したパラメータ値等が表示されるようになっている。また、液晶ディスプレイ１５０には、多数のガイド表示等も行われる。
【００１６】
なお、つまみ２００ａ〜２００ｐは、不図示の中心軸を中心として、平面視、時計回り方向と反時計周り方向に所定回転度範囲内で回動操作可能に構成されている。すなわち、つまみ２００ａ〜２００ｐの回動位置を最も反時計方向に回転操作するとこれ以上反時計方向には回転しなくなり、これが基準位置となる。一方、この基準値から時計方向につまみ２００ａ〜２００ｐを回動操作するとパラメータ値が変更表示されていき、最終的に時計方向に回動しなくなる（これが最大回転位置）。このように、つまみ２００ａ〜２００ｐ（以下、適宜単に「２００」と記す）を基準位置から最大回転位置まで回転操作することによってその値を変更対象とするパラメータの値が変化するように構成されている。
【００１７】
図２の例では、分割表示エリア「Ａ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐ」の夫々に対して、つまみ「２００ａ、２００ｂ、２００ｃ、２００ｄ、２００ｅ、２００ｆ、２００ｇ、２００ｈ、２００ｉ、２００ｊ、２００ｋ、２００ｌ、２００ｍ、２００ｎ、２００ｏ、２００ｐ」の夫々が対応している。即ち、４行４列で配置されたつまみ２００ａ〜２００ｐの配置状態に対応するように、分割表示エリアＡ〜分割表示エリアＰが設けられているため、つまみ操作によるパラメータ値変更等が分かり易くなっている。
【００１８】
さらに、各種のパラメータの内でその値の設定対象になるパラメータを選択するためのボタンが、つまみ群の左側に配置されている。符号２１３はパラメータであるＰＡＮ（パン）を選択するためのボタンである。同様にＥＱ（イコライザ）を選択するためのボタン２１２、ＳＥＮＤ（センド：ＥＦＦＥＣＴに送り出すレベル）を選択するためのボタン２１１、ＥＦＥＣＴ（エフェクト）選択するためのボタン２１５、ＣＨ−ＶＩＥＷ選択するためのボタン２１４等が配置されている。また、後に説明するＪＭＵＰ（ジャンプ）ボタン２１０も配置されていて、ＪＵＭＰボタン２１０の筒状のボタンの内側には点灯部としてのＬＥＤ２２０が設けられている。
【００１９】
図４は後に説明するテーブル格納部５６０に格納されているテーブル４００の説明図である。このテーブル４００は、各パラメータの値が、つまみ２００の基準位置からの回転角度にどのように対応しているかを設定しているものである。つまり、つまみ２００の回転操作によって、基準位置からの回転角度が変化するが、その回転角度でパラメータ値がどうなるかを設定するものである。例えば、図４の一例で「ＰＡＮ」をパラメータ値変更対象とするパラメータとすれば、つまみ２００の基準位置からの回転角度が「０度、１度、…、θｍａｘ（最大回転角度）」と変化するとそのパラメータ値が「Ｐａ、Ｐｂ、…、Ｐｎ」と変更される構成となっている。かくして、ＣＰＵ１１０が、つまみ２００の基準位置からの回転角度に応じて、選択されたパラメータのパラメータ値を把握可能になっている。
【００２０】
図３は液晶ディスプレイ１５０の表示画面の一例であり、この場合、各トラックに対してパラメータ「ＥＦＦＥＣＴ  ＳＥＮＤ」のパラメータ値を表示させたものである。つまみ２００ａ〜２００ｐに対応して、４×４のマトリクス状の各分割エリア（「左上に数字が表示されている」）が対応している。なお、これは一表示例に過ぎない。
【００２１】
（動作）
次に、図５の機能ブロックの構成図等を参照して徴的な動作を説明する。その前に、図６を参照して、テーブル格納部５６０に格納されるテーブル６００を説明する。なお、テーブル４００がテーブル格納部５６０に格納されているのは前述した通りである。テーブル４００は、パラメータ毎に、ＲＡＭ１１２（ＨＤ１３０でも良い）の内部に記憶されているパラメータ値（内部パラメータ値）Ｐｎと、つまみ２００を回転操作したその時点での基準位置からの回転角度に対応するパラメータ値Ｐｍとの差の絶対値の大きさに応じて、ＬＥＤ２２０を点灯制御する点灯パターンを変化させるためのものである。
【００２２】
図６示すようにパラメータとして「ＰＡＮ」を例にとって説明すると、Δ１が１番大きく、Δ２、…と除々に小さい値になっている。したがって、ＰｎとＰｍの差の絶対値がΔ１よりも大きな場合には点灯パターン１を採用し、ＰｎとＰｍの差の絶対値が次に大きいのはΔ１以下であり、かつ、Δ２よりも大きな場合であるのでこの場合には点灯パターン２を採用し、…、というように点灯パターンを決定する。そして、最後はＰｎ＝ＰｍとなるのでＬＥＤ２２０を点灯させる。
【００２３】
そして、点灯パターン１では点滅間隔が最も長く、点灯パターン２、…、の順に点滅間隔が短くなるように設定されている。したがって、ＣＰＵ１１０は、テーブル６００の点灯パターンにしたがって、ＰｎとＰｍとの差分が大きければ大きい程、ＬＥＤ２２０の点滅間隔を長くしてゆっくりと点滅制御をさせ、ＰｍがＰｎに近づくにつれてＬＥＤ２２０の点滅間隔を除々に短くし、両者が一致した場合にはＬＥＤ２２０は点灯状態（点滅はしない）となるように制御する。かくして、ＬＥＤ２２０の点灯状態を見ながら、つまみ２００の操作を行うことが可能となり、つまみ２００の操作をナビゲートとする機能が実現される。このようなテーブル６００と先に説明したテーブル４００とがテーブル格納部５６０に格納されている。
【００２４】
さて、パラメータ値の設定対象とするパラメータの一例として「ＰＡＮ」を例にとって説明する。即ち、制御部５００は、図２のＰＡＮ選択ボタン２１３が押下操作されたことを検出して、設定対象パラメータが「ＰＡＮ」であることを把握する。さて、今、内部パラメータ値記憶部５２０には、トラック毎に、パラメータ「ＰＡＮ」の何らかの値（内部パラメータ値）が記憶されているものとする。この「ＰＡＮ」では１６トラック分のパラメータ値設定のため１６個のつまみ２００を操作に用いる。なお、制御部５００は、表示制御部５３０に対して内部パラメータ値記憶部５２０に記憶されている情報と設定パラメータが「ＰＡＮ」である旨の情報を渡す。これらの情報を受け取った表示制御部５３０は、図２で示した様に、その表示エリアを１６分割して、各つまみ２００に対応するようにパラメータ値等を表示する。なお、この際、全表示エリア領域を１６分割する必要は無く、表示エリアの一部を他の必要な情報を表示させ、残りの表示エリアを１６分割すれば良い。
【００２５】
まず、回転角度検出部５１０は、各つまみ２００の基準位置からの回転角度を検出する。この検出情報は制御部５００に与えられる。制御部５００は、これを受け取って各つまみ２００の基準位置からの回転角度を把握する。そして、制御部５００は、テーブル格納部５６０に格納されているテーブル４００の記憶内容を参照して、各つまみ２００の基準位置からの回転角度に基づいて「ＰＡＮ」の値を抽出、把握する。そして、制御部５００は、テーブル格納部５６０に格納されているテーブル６００の記憶内容を参照して、把握した「ＰＡＮ」の値と内部パラメータ値記憶部５２０内に記憶されている対応する「ＰＡＮ」の値（内部パラメータ値）との差の絶対値に対応する点灯パターンを抽出、把握し、この点灯パターンで点灯部５５０を点灯制御する。
【００２６】
制御部５００は、例えば、１番目のトラック用のつまみ２００ａを回転操作すると、その操作による値（Ｐｍ）と、内部パラメータ値（Ｐｎ）との差がΔ１よりも大きい場合には、点灯パターン１を採用して最も点滅間隔の長い点滅制御を点灯部５５０を用いて行う。そして、制御部５００は、つまみ２００の回転操作によるパラメータ値と内部パラメータ値とが近づくにつれて点滅間隔が除々に短くなるように点灯部５５０の点滅制御を行い、両者が一致すれば点灯部５５０を点灯継続状態（点滅ではなく常時点灯しておくこと）とする。そして、この一致点を超えてパラメータ値の変更操作、即ち、つまみ２００の回転操作により行われていることを検出した制御部５００は、このつまみ２００の基準位置からの回転角度を、回転角度検出部５１０からの出力情報によって把握し、この把握した基準位置からの回転角度に対応するパラメータ値をテーブル４００を参照して求め、この求めたパラメータ値を新たな内部パラメータ値とするように、内部パラメータ値記憶部５２０の対応する値を更新する。
【００２７】
これと共に、制御部５００は、表示制御部５３０を制御して、液晶ディスプレイ１５０の１６分割画面の夫々に対して、変更された内部パラメータ値が表示されるようにする。かくして、４行４列のマトリクス状の表示とつまみ２００の配置との対応がとれてパラメータ値設定が容易となる。しかも、制御部５００は、つまみ２００の回転操作によって変更されたパラメータ値と、内部パラメータ値記憶部５２０に記憶されている対応するパラメータ値との差に応じて、点灯部５５０を点灯制御するので、パラメータ値の調整が一層容易になる。
【００２８】
さて、上述した動作は、つまみ２００の回転操作によるパラメータ値と、これに対応する内部パラメータ値とが一致するまでは、内部パラメータ値の変更はせずに、パラメータ値の表示も変更しないものであった。つまり、内部パラメータ値とつまみ２００の回転操作によるパラメータ値とが一致するまでは、内部パラメータ値の更新等を行わず、両者が一致状態となった後は、内部パラメータ値の更新が可能な動作（マッチ動作）を行うものであった。しかしながら、つまみ２００の回転操作によって、即座に内部パラメータ値の更新を行うことを欲する場合に対応するために、以下のＪＵＭＰ（ジャンプ）機能も備えている。次に、この機能について説明する。
【００２９】
図２の符号２１０のＪＵＭＰボタンを押下操作すると、ＪＵＭＰボタンオン検出部５４０はこれに応答して制御部５００に通知し、これによって制御部５００はジャンプ機能を起動する準備をする。ユーザがＪＵＭＰボタン２１０を押下操作した後に、或るつまみ２００を回転操作したことを制御部５００が、回転角度検出部５１０からの回転角度情報により把握する。そして、即座に、制御部２００は、この或るつまみ２００に対する内部パラメータ値記憶部５２０に記憶されている対応する内部パラメータ値を、強制的に、この或るつまみ２００の基準位置からの回転角度に対応するパラメータ値で更新する。かくして、ＪＵＭＰボタン２１０が押下操作され、或るつまみ２００が回転操作された場合には、即座に内部パラメータ値の更新を行い、表示制御部５３０は更新された内部パラメータ値等を液晶ディスプレイ１５０の対応する分割エリアに表示可能になる。
【００３０】
このように、ＪＵＭＰボタン２１０（専用ボタン）の押下操作をしない場合には、つまみ２００の回転操作によるつまみ２００の基準位置からの回転角度に応じて変更されるパラメータ値が、内部パラメータ値記憶部５２０に記憶された対応する内部パラメータ値に一致するまでは内部パラメータ値を更新せず、両者の一致後のつまみ２００の回転操作により始めて内部パラメータ値の変更が行われる一方、ＪＵＭＰボタン２１０（専用ボタン）に対する押下操作に続けていずれかのつまみ２００が操作されると、このつまみ２００の回転操作に応答して即座に内部パラメータ値が変更可能となるので、より操作性の良いマルチトラックレコーダ１００が実現できる。
【００３１】
以上説明してきたように、本実施形態によれば、操作パネル３００上に設けられた液晶ディスプレイ１５０の平面視下側（ユーザ側）に、各種のパラメータの値を変更操作可能なつまみ２００を４行4列のマトリクス状に配置し、各つまみ２００の並びに対応するように液晶ディスプレイ１５０の表示エリアを１６分割した夫々の分割エリアにおいて、対応するつまみ２００でのパラメータ調整に関する情報を表示し、各つまみ２００の操作によって更新されるパラメータ値を内部パラメータ値として記憶するものである。そして、マルチトッラックレコーダのようなレコード機器の場合には、一般的に８、１２、１６等の４の倍数のトラック数のものが一般的であり、従来のように横一列に操作子を配置するのに比べて操作し易い操作子配列となっており、しかも、分割表示エリアとつまみ２００による操作状態とを対応付けることによって一層、パラメータ値設定が容易となる。
【００３２】
なお、本実施形態のマルチトラックレコーダ１００には種々の構成や動作の変形等を施すことが可能である。例えば、このマルチトラックレコーダ１００の４行４列のつまみ２００を利用可能な画面表示を特殊ボタンの押下操作に応じて順に出現するような構成にしても良いし、また、パラメータ値設定においては、総てのつまみ２００を用いる必要がなく、例えば縦１列に並ぶ４個のつまみ２００を用いる等しても良い。
【産業上の利用可能性】
【００３３】
以上説明してきたように、パラメータ値の変更操作を容易とするマルチトラックレコーダを提供することができる。
【図面の簡単な説明】
【００３４】
【図１】マルチトラックレコーダ１００の構成図である。
【図２】操作パネル３００の一部の説明図である。
【図３】表示画面例の説明図である。
【図４】テーブル４００の説明図である
【図５】マルチトラックレコーダ１００の主要機能ブロックの構成図である。
【図６】テーブル６００の説明図である。
【符号の説明】
【００３５】
１００  マルチトラックレコーダ
１１０  ＣＰＵ
１１１  ＲＯＭ
１１２  ＲＡＭ
１３０  ＨＤ
１４０  操作部
１５０  液晶ディスプレイ
１６０  楽音信号入力部
１７０  楽音信号出力部  
４００  テーブル
５００  制御部
５１０  回転角度検出部
５２０  内部パラメータ値記憶部
５３０  表示制御部
５４０  ＪＵＭＰボタンオン検出部
５５０  点灯部
５６０  テーブル格納部
６００  テーブル
【図１】
2006276665.tif 000003
【図２】
2006276665.tif 000004
【図３】
2006276665.tif 000005
【図４】
2006276665.tif 000006
【図５】
2006276665.tif 000007
【図６】
2006276665.tif 000008